(57)【要約】      （修正有）【課題】大量の収納物や重量のある収納物を収納しても形状が崩れ難く、優れた強度を有する提げ手付き包装袋を提供する。【解決手段】袋本体１の相対する前後面部の上端に提げ手片４を設ける。前後面部の下端に底片５を設ける。前後面部の左右側縁の一方に開口部６を設ける。左右側縁の他方を溶着する。断面Ｗ字形の帯状にて提げ手片４を形成する。提げ手片４を前後面部の各上端縁に溶着する。断面Ｗ字形の中央で重なった山部を貫通する把手口４Ａを形成する。提げ手片４の断面Ｗ字形の谷部相互を長手方向に沿って溶着してシール部を形成する。底片５は、断面Ｗ字形の帯状にて底片５を形成する。底片５を前後面部の各下端縁に溶着する。【選択図】図１
0003190130.tif 000002
【実用新案登録請求の範囲】
【請求項１】
合成樹脂製の袋本体の相対する前後面部と、該前後面部の上端に一体に設けられた提げ手片と、前後面部の下端に設けられた底片と、前後面部の左右側縁の一方に開口部を有すると共に、左右側縁の他方が溶着された包装用袋であって、
提げ手片は、前後面部の間に折りたたまれる断面Ｗ字形の帯状を成し、前後面部の各上端縁に溶着され、断面Ｗ字形の中央で重なった山部を貫通する把手口を形成すると共に、提げ手片の断面Ｗ字形の谷部相互を長手方向に沿って溶着したシール部を形成し、
底片は、前後面部の間に折りたたまれる断面Ｗ字形の帯状を成し、前後面部の各下端縁に溶着されたことを特徴とする提げ手付き包装袋。
【請求項２】
前記袋本体は、前記提げ手片を上部とする横長形状に形成され、前記底片は、断面Ｗ字形の帯状を成し、断面Ｗ字形の山部相互が溶着されて補強ラインを形成した請求項１記載の提げ手付き包装袋。
【請求項３】
前記袋本体の前記提げ手片の長手端部を斜めに折り返し、前記提げ手片と前記前後面部のいずれか一方との間に溶着される補強片を形成した請求項１記載の提げ手付き包装袋。
【請求項４】
前記袋本体は、顆粒物又は粉粒物を収納する包装袋として形成され、前記開口部に開閉自在な密封チャックを設けた請求項１乃至３いずれか記載の提げ手付き包装袋。
【考案の詳細な説明】
【技術分野】
【０００１】
本考案は、例えばペットフード等を収納する合成樹脂製の提げ手付き包装袋に係り、形状が崩れ難く、優れた強度を有する提げ手付き包装袋に関するものである。
【背景技術】
【０００２】
従来、合成樹脂製の包装袋の運搬を容易にするために、包装袋の上部に提手を設けたものが使用されている。この把手は合成樹脂製の包装袋に熱溶着するもので、包装袋の重量が重くなると把手の溶着部分が破断する虞があった。
【０００３】
一方、提げ手を袋本体と一体的に形成する提げ手付き包装用袋が特許文献１に提案されている。この包装用袋は、袋本体の上縁部に断面逆Ｖ字状の折り込み蓋片を設け、この折り込み蓋片の中央折り返し部に提げ手部を一体的に突設したもので、従来の提げ手付き包装用袋のような袋本体と提げ手とを別々に製造、管理しなければならない手間を省き、合理的に製作できるというものである。
【先行技術文献】
【特許文献】
【０００４】
【特許文献１】特開平７−５２２８４号公報
【考案の概要】
【考案が解決しようとする課題】
【０００５】
ところが、特許文献１に記載の包装袋は、特に紙おむつを圧縮して包装するのに適するように構成されているので、ペットフード等を大量に収納する包装袋のように、重量物を収納する包装袋としては適さないものであった。
【０００６】
すなわち、特許文献１の包装袋は、上縁部に逆断面Ｖ字状の折り込み蓋片を設けると共に、左右両側縁部が熱溶着され、下縁部が被包装物挿入口として開口された包装袋である。そのため、仮に、この包装袋に大量の収納物を収納した場合、全体が丸く膨らんで安定しない形状になってしまう。
【０００７】
しかも、熱溶着された左右両側縁部等に収納物の負荷が直接加わる構成になっているので、収納物が大容量になり、重量が増すと左右両側縁部や底部の溶着部分が開いてしまう虞もある。このように、特許文献１の包装袋は、軽量な紙おむつ等を圧縮収納する包装袋として適していても、大量の収納物や重量のある収納物を収納する包装袋としては適さないものであった。
【０００８】
そこで、本考案は、上述の課題を解消すべく案出されたもので、大量の収納物や重量のある収納物を収納しても形状が崩れ難く、優れた強度を有する提げ手付き包装袋の提供を目的とするものである。
【課題を解決するための手段】
【０００９】
上述の目的を達成すべく本考案における第１の手段は、合成樹脂製の袋本体１の相対する前後面部２,３と、該前後面部２,３の上端に一体に設けられた提げ手片４と、前後面部２,３の下端に設けられた底片５と、前後面部２,３の左右側縁の一方に開口部６を有すると共に、左右側縁の他方が溶着された包装用袋であって、
提げ手片４は、前後面部２，３の間に折りたたまれる断面Ｗ字形の帯状を成し、前後面部２,３の各上端縁に溶着され、断面Ｗ字形の中央で重なった山部を貫通する把手口４Ａを形成すると共に、提げ手片４の断面Ｗ字形の谷部相互を長手方向に沿って溶着したシール部４Ｂを形成し、
底片５は、前後面部２，３の間に折りたたまれる断面Ｗ字形の帯状を成し、前後面部２,３の各下端縁に溶着されたことにある。
【００１０】
第２の手段において、前記袋本体１は、前記提げ手片４を上部とする横長形状に形成され、前記底片５は、断面Ｗ字形の帯状を成し、断面Ｗ字形の山部相互が溶着されて補強ライン５Ａを形成したものである。
【００１１】
第３の手段は、前記袋本体１の前記提げ手片４の長手端部を斜めに折り返し、前記提げ手片４と前記前後面部２，３のいずれか一方との間に溶着される補強片４Ｃを形成したことにある。
【００１２】
第４の手段の前記袋本体１は、ペットフードを収納する包装袋として形成され、前記開口部６に開閉自在な密封チャック６Ａを設けたものである。
【考案の効果】
【００１３】
本考案の請求項１によると、提げ手片４は、断面Ｗ字形の帯状を成し前後面部２,３の各上端縁に溶着され、断面Ｗ字形の中央で重なった山部を貫通する把手口４Ａを形成すると共に、提げ手片４の断面Ｗ字形の谷部相互を長手方向に沿って溶着したシール部４Ｂを形成したことで、大量の収納物や重量のある収納物を収納しても形状が崩れ難く、優れた強度を有するので安定した運搬が可能になる。
【００１４】
また、底片５は、前後面部２，３の間に折りたたまれる断面Ｗ字形の帯状を成し、前後面部２,３の各下端縁に溶着されたことから、底片５が底マチ部として機能し、大きく広がる面積を備えることになる。この結果、大量の収納物を収納することができる。
【００１５】
請求項２のように、前記袋本体１は、前記提げ手片４を上部とする横長形状に形成し、前記底片５は、断面Ｗ字形の山部相互が溶着されて補強ライン５Ａを形成したことで、重量物を収納しても形状が崩れ難くなった。しかも、袋本体１は、提げ手片４を上部とする横長形状に形成しているので、重量物を収納していても安定した状態で袋本体１を持ち上げることができる。この結果、運搬時の強度を高め、大きな袋本体１でも片手で運搬することが可能になった。
【００１６】
請求項３のように、前記提げ手片４の長手端部を斜めに折り返し、前記提げ手片４と前記前後面部２，３のいずれか一方との間に溶着される補強片４Ｃを形成したことにより、提げ手片４の強化と共に、袋本体１を強化することができる。この結果、大量の収納物や重量のある収納物を収納しても形状が崩れ難く、優れた強度を有するので安定した運搬が可能になるものである。
【００１７】
請求項４のごとく、袋本体１は、ペットフードを収納する包装袋として形成され、開口部６に開閉自在な密封チャック６Ａを設けたことで、袋本体１に大量のペットフードを収納しても、袋本体１を片手で持ち上げて搬送することができ、しかも、袋本体１から直接ペットフードを与えることが可能になる。
【図面の簡単な説明】
【００１８】
【図１】本考案の一実施例を示す斜視図である。
【図２】本考案の提げ手片と底片とを示す一部切欠分解斜視図である。
【図３】本考案の一実施例を示す側面図である。
【図４】本考案の提げ手片を示す平面図である。
【図５】本考案の補強片を示す一部切欠側面図である。
【図６】本考案の一実施例を示す縦断面図である。
【図７】本考案の他の実施例を示す縦断面図である。
【考案を実施するための形態】
【００１９】
本考案によると、大量の収納物や重量のある収納物を収納しても形状が崩れ難く、優れた強度を有し運搬時の強度が優れるなどといった提げ手付き包装袋の提供に成功した。
【００２０】
以下、図面を参照して本考案を詳しく説明する。本考案提げ手付き包装袋は、例えばペットフードや食品等の顆粒物、粉粒物、固形物等を、例えば数Ｋｇ単位で収納する比較的大型の個別搬送袋として使用可能な包装袋である。
【００２１】
本考案包装用袋は、合成樹脂製の袋本体１にて構成されている。この袋本体１の基本構成は、前面部２及び後面部３と、提げ手片４と、底片５とを備えたものである（図１参照）。
【００２２】
提げ手片４は、袋本体１の相対する前後面部２,３の上端に一体に設けられた部材で、前後面部２，３の間に折りたたまれる断面Ｗ字形の帯状材にて形成されている（図２参照）。すなわち、この帯状材の長手両側縁部を前後面部２,３の各上端縁に溶着したものである（図６参照）。前後面部２，３に溶着された提げ手片４には、更に把手口４Ａとシール部４Ｂと補強片４Ｃとを形成する（図３参照）。
【００２３】
把手口４Ａは、提げ手片４の断面Ｗ字形の中央で重なった山部を貫通して形成したもので、この把手口４Ａに手指を挿入して袋本体１を持ち上げるようにしている（図３参照）。そのため、把手口４Ａを一箇所に形成する場合は、この把手口４Ａは提げ手片４の長手中央部位に形成する。また、袋本体１の重量に応じて複数の把手口４Ａを形成することも可能である（図示せず）。
【００２４】
一方、シール部４Ｂは、提げ手片４の断面Ｗ字形の谷部相互を溶着した部位で、このシール部４Ｂにて、把手口４Ａから収納物が脱落しないようにしている（図６参照）。また、このシール部４Ｂは、提げ手片４の谷部相互を長手方向に沿って形成することで、提げ手片４の強度を高めると共に、搬送時の袋本体１の強度を高める作用もある（図３参照）。
【００２５】
更に補強片４Ｃは、提げ手片４の長手端部を斜めに折り返した部位で、提げ手片４と前後面部２，３のいずれか一方との間に溶着されるものである（図５参照）。この補強片４Ｃが提げ手片４の長手両端に形成されることで、提げ手片４の強度を高めると共に、袋本体１の強度を高めることが可能になる。
【００２６】
底片５は、袋本体１の前後面部２,３の下端に設けられた部位で、前後面部２，３の間に折りたたまれる断面Ｗ字形の帯状材にて形成されている（図２参照）。底片５を形成する帯状材は、提げ手片４を形成する帯状材と同じ形状で、上下で対を成している。この底片５は、断面Ｗ字形を成しているので、底片５が底マチ部として機能する場合は、広く広がる面積を備えることになり、大量の収納物を収納することができる（図６参照）。
【００２７】
一方、断面Ｗ字形の山部相互を溶着して補強ライン５Ａを形成した場合は、底片５の強度と共に、袋本体１の強度も高めることができる（図７参照）。このとき、補強ライン５Ａは、断面Ｗ字形の山部相互全体に形成する他、部分的に形成することも可能である。
【００２８】
本考案袋本体１は、前後面部２,３の左右側縁の一方に開口部６を設け、左右側縁の他方を溶着したものである（図１参照）。図示の袋本体１は、提げ手片４を上部とする横長形状に形成している。そして、開口部６に開閉自在な密封チャック６Ａを設けている。このような袋本体１によると、特に、ペットフードを収納する包装袋として好適なものになる。尤も、開口部６は図示例に限られるものではなく、従来周知の開口部の形態を任意に選択することが可能である。
【００２９】
尚、本考案の実施例は図示例に限られるものではなく、例えば、袋本体１の形状やサイズ、あるいは収納物の変更など、本考案の要旨を変更しない範囲で自由に変更できるものである。
【符号の説明】
【００３０】
１  袋本体
２  前面部
３  後面部
４  提げ手片
４Ａ  把手口
４Ｂ  シール部
４Ｃ  補強片
５  底片
５Ａ  補強ライン
６  開口部
６Ａ  密封チャック
【図１】
0003190130.tif 000003
【図２】
0003190130.tif 000004
【図３】
0003190130.tif 000005
【図４】
0003190130.tif 000006
【図５】
0003190130.tif 000007
【図６】
0003190130.tif 000008
【図７】
0003190130.tif 000009